(57)【要約】【課題】  付箋紙底部の接着層がむき出しの状態とならない付箋紙を提供する。【解決手段】  本発明の付箋紙（１）は、下部紙片群（２）、及び上部紙片群（３）の２つの紙片群を含む付箋紙であって、前記２つの紙片群は、一方の面に接着層（４）が設けられた紙片（５）を複数積層したものであり、前記下部紙片群は、それぞれの紙片の接着層が上方になるように複数の紙片を積層したものであり、前記上部紙片群は、それぞれの紙片の接着層が下方になるように複数の紙片を積層したものである。【選択図】  図１
2005153486.tif 000002
【特許請求の範囲】
【請求項１】
下部紙片群、及び上部紙片群の２つの紙片群を含む付箋紙であって、
前記２つの紙片群は、それぞれ一方の面に接着層が設けられた紙片を複数積層したものであり、
前記下部紙片群は、複数の紙片をそれぞれの紙片の接着層が上方になるように積層したものであり、
前記上部紙片群は、複数の紙片をそれぞれの紙片の接着層が下方になるように積層したものである付箋紙。
【請求項２】
前記下部紙片群の底面の接着層と、前記上部紙片群の底面の接着層とが互いに接している請求項１に記載の付箋紙。
【請求項３】
前記下部紙片群と前記上部紙片群との間には、台紙が存在する請求項１に記載の付箋紙。
【発明の詳細な説明】
【技術分野】
【０００１】  本発明は、付箋紙に関する。より詳しくは、付箋紙を二つの紙片群に分け、それぞれの底面の接着層を合わせた付箋紙などに関する。
【背景技術】
【０００２】  従来から、事務用品として付箋紙が知られている（例えば、下記特許文献１の図１）。図２は、このような付箋紙の例を示す図である。図２に示されるように、従来の付箋紙（１１）は、裏面の一部に接着層を有する複数の紙片（１２）と、最も下に位置する紙片を搭載する台紙（１３）とからなる。付箋紙は、このような構成を採るので、上部から紙片を一枚ずつ取り出し、別の箇所に貼り付けることができる。また、紙片の表面には、利用者が文字などを書き込むことも行われている。【０００３】  しかしながら、従来の付箋紙では、誤って台紙がとれるという事態が起こる。このような事態が生ずると、付箋紙底部の接着層がむき出しの状態となるので、ほこりや汚れなどが付着し、黒ずむという問題がある。このような状態となった付箋紙は、見栄えがよくないという問題がある。
【特許文献１】  特開２００１−１８０１７１号公報
【発明の開示】
【発明が解決しようとする課題】
【０００４】  本発明の目的は、付箋紙底部の接着層がむき出しの状態とならない付箋紙を提供することである。
【課題を解決するための手段】
【０００５】  上記の課題を解決するため、本発明の付箋紙（１）は、下部紙片群（２）、及び上部紙片群（３）の２つの紙片群を含む付箋紙であって、前記２つの紙片群は、一方の面に接着層（４）が設けられた紙片（５）を複数積層したものであり、前記下部紙片群は、それぞれの紙片の接着層が上方になるように複数の紙片を積層したものであり、前記上部紙片群は、それぞれの紙片の接着層が下方になるように複数の紙片を積層したものである。【０００６】  本発明の付箋紙は、上記のような構成を採用するので、各紙片群の接着層は、複数の紙片により覆われることとなる。このため、付箋紙を使用している最中、使用しない紙片群の接着層が、むき出しになりにくい。【０００７】  また、本発明の付箋紙は、好ましくは、下部紙片群（２）の底部に位置する接着層と、上部紙片群（３）の底部に位置する接着層がそれぞれ接着しあう。【０００８】  本発明の別態様の付箋紙としては、下部紙片群と上部紙片群との間に、台紙が存在するものが挙げられる。このような態様の付箋紙であっても、各紙片群の底部の接着層を複数枚の紙片（別の紙片群）が被覆することとなる。このため、従来の付箋紙のように、付箋紙を使用している最中に台紙が剥れ、底部の接着層がむき出しになるという事態を防止できる。
【発明の効果】
【０００９】  本発明によれば、利用中に底部紙片の接着層がむき出しの状態となりにくい付箋紙を提供できる。
【発明を実施するための最良の形態】
【００１０】  （１．付箋紙の基本構成）
図１は、本発明の付箋紙の概略を示す側面図である。図１（ａ）は、本発明の付箋紙の概略例を示す側面図である。図１（ａ）に示されるように、本発明の付箋紙（１）は、下部紙片群（２）、及び上部紙片群（３）の２つの紙片群を含む。【００１１】  紙片群は、一方の面に接着層（４）が設けられた紙片（５）を複数積層したものである。紙片群に含まれる紙片の枚数は、特に限定されず、用途などに応じて適切な枚数とすることができる。紙片群に含まれる紙片の枚数としては、２０枚〜１０００枚、２５枚〜２００枚、５０枚〜１００枚、２０枚、２５枚、５０枚、７５枚、１００枚、１５０枚、２００枚、２５０枚などが挙げられる。【００１２】  下部紙片群は、それぞれの紙片の接着層が上方になるように複数の紙片を積層したものである。【００１３】  上部紙片群は、それぞれの紙片の接着層が下方になるように複数の紙片を積層したものである。【００１４】  この例の付箋紙は、例えば下部紙片群（２）、上部紙片群（３）の底部に位置する接着層がそれぞれ接着しあう。このため、従来の付箋紙のように、付箋紙を使用している最中に台紙が剥れ、底部の接着層がむき出しになるという事態を防止できる。【００１５】  また、この付箋紙の上部紙片群の底面には、さらに複数の紙片を含む下部紙片群が存在する。したがって、下部紙片群から紙片がなくなったとしても、上部紙片群の底面に位置する接着層がむき出しになる事態を防止できる。これと同様の理由により、下部紙片群底面の接着層についても、むき出しとなる事態を防止できる。【００１６】  図１（ｂ）は、本発明の付箋紙の別の例を示す側面図である。図１（ｂ）に示されるように、この例の付箋紙（１）は、下部紙片群（３）、台紙、及び上部紙片群（２）をこの順に積層した付箋紙である。そして、前記２つの紙片群は、一方の面に接着層（４）が設けられた紙片（５）を複数積層したものである。下部紙片群は、それぞれの紙片の接着層が上方になるように複数の紙片を積層したものである。上部紙片群は、それぞれの紙片の接着層が下方になるように複数の紙片を積層したものである。【００１７】  （１．２．紙片）
以下では、本発明の付箋紙に用いられる構成要素について説明する。本発明の付箋紙における紙片とは、一般的に付箋紙を構成する紙片を意味する。すなわち、付箋紙における紙片とは、所定の目標物に貼り付け、取り外し可能な紙片である。このような用途を意図して、紙片の一面（裏面）には接着層が設けられる。好ましくは、接着層が設けられない面（表面）は、鉛筆、ボールペン、万年筆などにより文字等を書き込める。【００１８】  （１．２．１．紙片の材質）
紙片の材質は、付箋紙に用いられる公知の材質を用いることができ、特に限定されない。紙片の材料としては、紙、プラスチックなどが挙げられる。【００１９】  （１．２．２．紙片の形状）
紙片の形状は、付箋紙の紙片に用いられる公知の形状を採用でき、特に限定されない。紙片の形状は、一般的には、長方形であるが、正方形、六角形などの多角形、及びこれらから角をとって形状、円形、楕円形、キャラクターデザインの形状などが挙げられる。付箋紙を構成する複数の紙片は、同一形状であることが好ましい。本発明においては、鏡面対象の形状を有するものであれば、２つの紙片群に分けた際に容易に合わせることができるのでより好ましい。紙片の厚さとして、５０μｍ〜２００μｍが好ましく、７５μｍ〜１２５μｍであればより好ましく、９０μｍ〜１１０μｍであれば特に好ましい。【００２０】  紙片の大きさも、公知の大きさを採用でき、特に限定されない。紙片が長方形の場合、短辺の長さとしては、３ｍｍ〜１０ｃｍ、５ｍｍ〜５ｃｍ、１ｃｍ〜３ｃｍが挙げられ、長辺の長さとしては、短辺の長さの１．１倍〜２５倍、２倍〜１０倍、３倍〜５倍などが挙げられる。【００２１】  （１．２．３．紙片の色）
紙片の色も、付箋紙の紙片に用いられる公知の色を採用でき、特に限定されない。本発明においては、下方紙片群を構成する紙片の色と、上方紙片群を構成する紙片の色とが異なることが好ましい。このような構成をとる付箋紙であれば、下方紙片群と上方紙片群との境目を容易に把握できるからである。【００２２】  （１．３．接着層）
接着層は、付箋紙を構成する紙片の一面（の所定領域）に設けられる層であり、紙片を脱着可能にするための層である。接着層としては、付箋紙に用いられる公知の接着層を採用でき、特に限定されない。接着層として、好ましくは圧力を加えることにより接着性を増す感圧性接着層である。なお、紙片のうち接着層が設けられる領域付近には接着層を強固なものとするためなどの公知の処理が施されていても良い。【００２３】  （１．３．１．接着層の材質）
接着層の材質として、公知の材質を用いることができ、特に限定されない。接着層の材質としては、例えば米国特許第３，６９１，１４０号明細書、同第４，１６６，１５２号明細書、同第４，４９５，３１８号明細書、同第４，５９８，２１２号明細書、同第４，７８６，６９６号明細書、同第４，８１０，７６３号明細書および同第４，９４４，８８８号明細書に記載されている材料を用いることができる。なお、接着層は、これらの公報に記載された方法に従って製造できる。【００２４】  （１．３．２．接着層の大きさ）
接着層の大きさは、その付箋紙の用途に合わせて、適宜変更できる。接着層の領域は、一般的には紙片の裏面の面積の１０分の１〜３分の１であり、好ましくは５分の１〜３分の１である。なお、例えば、特開２０００−３２１４６９号公報に開示されるように、接着層を紙片の端部と、略中央部（すなわち、接着層のない方の端から３分の１〜３分の２の領域）に設けても良い。【００２５】  （１．４．台紙）
台紙は、付箋紙として脱着に用いないものであり、紙片底部の接着層を取り外し可能に接着しておくためのものである。台紙としては、紙、プラスチック、金属箔、紙の上にプラスチック層を形成したものなどを用いることができる。台紙は、可とう性のあるものでも、固いものであっても良い。台紙の大きさは上記の紙片と同じであっても良いし、上記の紙片より大きなものであっても良い。【００２６】  （２．製造方法）
本発明の付箋紙の製造方法としては、公知の付箋紙の製造方法を採用でき、特に限定されない。付箋紙の製造方法としては、先に挙げた米国特許明細書に開示された方法を適宜採用すればよい。また、市販の付箋紙を購入して、台紙を取り外し、接着層の露出した面を合わせることで本発明の付箋紙を製造できる。【００２７】  （３．使用方法）
本発明の付箋紙は、上部、又は下部から所定枚数ずつ紙片を取り外し、目的とする箇所に貼り付けることができる。また、本発明の付箋紙を構成する紙片の表面は、好ましくは文字などが記入できるようになっているので、利用者は適宜紙片に文字などを書き込んで使用できる。
【実施例１】
【００２８】  紙製の付箋紙を２種類用意した。これらの付箋紙は、形状が同じで、色はそれぞれ黄色とうす緑色であり、ポストイット（登録商標）として市販されていた。用意した付箋紙を台紙から取り外した。台紙から取り外した付箋紙の底面は接着層が露出していた。２つの付箋紙の露出した接着層どうしをあわせた。このようにして、本発明の付箋紙を製造した。【００２９】  この付箋紙は、長期間使用しても下部紙片群（黄色）と、上部紙片群（うす緑色）に分離しなかった。すなわち、接着層が露出することにより付箋紙が汚くなる事態が生じなかった。これは、接着層どうしが接着し合っているので、接着が強固なものとなっていることと、従来の台紙にそれなりの厚みがある紙片群が相当するので数枚の底紙が剥れても紙片群の接着層が露出しないことなどによるものと考えられる。また、この付箋紙は、下部紙片群と、上部紙片群とをその色によって容易に識別できた。
【産業上の利用可能性】
【００３０】  本発明の付箋紙は、事務用品などとして利用されるものである。
【図面の簡単な説明】
【００３１】
【図１】  図１は、本発明の付箋紙の概略を示す側面図である。図１（ａ）は、本発明の付箋紙の概略例を示す側面図である。図１（ｂ）は、本発明の付箋紙の別の概略例を示す側面図である。
【図２】  図２は、従来の付箋紙の概略を示す側面図である。
【符号の説明】
【００３２】  １  付箋紙
２  下部紙片群
３  上部紙片群
４  接着層
５  紙片
６  台紙
１１  従来の付箋紙
１２  紙片
１３  台紙
【図１】
2005153486.tif 000003
【図２】
2005153486.tif 000004